(57)【要約】【課題】携帯端末のコンテンツをテレビ受像機で表示させる。【解決手段】携帯端末のコンテンツを用いて変調した微弱電波のテレビ放送無線信号をテレビジョン放送の空きチャンネルで送信する放送波送受信部を備える。このように、送信端末１００はテレビ放送の空きチャンネルを使用してコンテンツを送信するので、テレビ受像機は特別な機能を追加しなくてもコンテンツを視聴することができる。さらには、複数の受信端末で同時にコンテンツを共有することもできる。【選択図】図２
2011010001.tif 000002
【特許請求の範囲】
【請求項１】
携帯電話機のコンテンツを用いて変調した微弱電波のテレビ放送無線信号をテレビ放送の空きチャンネルで送信する放送波送受信部を備えることを特徴とする携帯端末。
【請求項２】
テレビ放送波信号のチャンネルをスキャンして、テレビ放送に用いられていない空きチャンネルを探す空きチャンネル検索手段と、
前記空きチャンネル検索手段によって検索された空きチャンネルの情報を、送信チャンネル情報として他の携帯端末に通知する送信チャンネル情報通知手段と、
コンテンツデータを用いて変調したテレビ放送無線信号を、前記空きチャンネル検索手段によって検索された空きチャンネルで送信するテレビ放送無線信号送信手段と
を備えることを特徴とする請求項１に記載の携帯端末。
【請求項３】
前記空きチャンネル検索手段に代えて、
現在の位置を示す位置情報を取得する位置情報手段と、
位置情報に応じた、地域毎のテレビ放送波の放送局情報を記憶する放送局情報記憶手段と、
前記位置情報手段によって取得した位置情報と前記放送局情報記憶手段に記憶されている放送局情報とに基づいて、テレビ放送に用いられていない空きチャンネルを特定する空きチャンネル特定手段と
を更に備え、
前記送信チャンネル情報通知手段は、前記空きチャンネル特定手段によって特定された空きチャンネルの情報を、送信チャンネル情報として他の携帯端末に通知する、
ことを特徴とする請求項２に記載の携帯端末。
【請求項４】
前記テレビ放送無線信号送信手段によるコンテンツデータを用いて変調したテレビ放送無線信号の送信過程における所定のタイミングで、コンテンツを送信する空きチャンネルを変更する空きチャンネル変更手段を更に備え、
前記送信チャンネル情報通知手段は、前記空きチャンネル変更手段によって空きチャンネルが変更される度に、前記送信チャンネル情報を他の携帯端末に通知する、
ことを特徴とする請求項２または３に記載の携帯端末。
【請求項５】
前記テレビ放送無線信号送信手段によって送信される、コンテンツデータを用いて変調したテレビ放送無線信号を暗号化する暗号化手段を更に備え、
前記送信チャンネル情報通知手段は、前記送信チャンネル情報とともに、前記暗号化手段で暗号化に用いた暗号鍵を他の携帯端末に通知する、
ことを特徴とする請求項２から４のいずれかに記載の携帯端末。
【請求項６】
近距離通信により他の携帯端末と通信する近距離通信手段と、
予めコンテンツを共有する他の携帯端末を記憶する携帯端末記憶手段と
を更に備え、
前記送信チャンネル情報通知手段は、前記近距離通信手段で、前記携帯端末記憶手段に記憶されている他の携帯端末を検知したときに、前記近距離通信手段によって前記送信チャンネル情報を他の携帯端末に通知する、
ことを特徴とする請求項２から５のいずれかに記載の携帯端末。
【請求項７】
テレビ放送波信号を受信するテレビ放送受信手段と、
他の携帯端末と通信する通信手段と、
前記通信手段によってテレビ放送に用いられていない空きチャンネルを示す送信チャンネル情報が受信されると、前記テレビ放送受信手段を起動し、前記送信チャンネル情報で通知された送信チャンネルを受信チャンネルに設定する設定手段と、
前記設定手段により設定された受信チャンネルで前記テレビ放送受信手段により受信した前記他の携帯端末からのテレビ放送無線信号に含まれるコンテンツを提示する提示手段と
を備えることを特徴とする携帯端末。
【請求項８】
前記通信手段によって送信チャンネル情報が受信されると、前記設定手段により設定された受信チャンネルで前記テレビ放送受信手段を起動するためのショートカットアイコンを待ち受け画面に作成するアイコン作成手段を更に備えることを特徴とする請求項７に記載の携帯端末。
【請求項９】
ユーザの生体認証を行う生体認証手段を更に備え、
前記送信チャンネル情報は、
前記空きチャンネルに加えて、コンテンツを共有可能な視聴ユーザ情報を含み、
前記提示手段は、
前記生体認証手段により生体認証したユーザが前記視聴ユーザ情報と一致した場合に、前記設定手段により設定された受信チャンネルで前記テレビ放送受信手段により受信されるコンテンツを提示する、
ことを特徴とする請求項７または８に記載の携帯端末。
【請求項１０】
前記コンテンツを用いて変調されたテレビ放送無線信号は、
所定の暗号鍵で暗号化されており、
前記送信チャンネル情報は、
前記空きチャンネルに加えて、前記暗号鍵を含み、
前記設定手段により設定された受信チャンネルで前記テレビ放送受信手段により受信された暗号化されたコンテンツを復号化する復号化手段を更に備え、
前記提示手段は、
前記設定手段により設定された受信チャンネルで前記テレビ放送受信手段により受信され、前記復号化手段により復号化されたテレビ放送無線信号に含まれるコンテンツを提示する、
ことを特徴とする請求項７から９のいずれかに記載の携帯端末。
【請求項１１】
送信端末のコンテンツを複数の受信端末で共有する通信システムであって、
前記送信端末は、
テレビ放送波信号のチャンネルをスキャンして、テレビ放送に用いられていない空きチャンネルを探す空きチャンネル検索手段と、
前記空きチャンネル検索手段によって検索された空きチャンネルの情報を、送信チャンネル情報として他の携帯端末に通知する送信チャンネル情報通知手段と、
コンテンツデータを用いて変調したテレビ放送無線信号を、前記空きチャンネル検索手段によって検索された空きチャンネルで送信するテレビ放送無線信号送信手段と
を備え、
前記複数の受信端末は、各々、
テレビ放送波信号を受信するテレビ放送受信手段と、
他の携帯端末と通信する通信手段と、
前記通信手段によって前記送信端末からの送信チャンネル情報が受信されると、前記テレビ放送受信手段を起動し、前記送信チャンネル情報で通知された送信チャンネルを受信チャンネルに設定する設定手段と、
前記設定手段により設定された受信チャンネルで前記テレビ放送受信手段により受信した前記送信端末からのテレビ放送無線信号に含まれるコンテンツを提示する提示手段と
を備えることを特徴とする通信システム。
【請求項１２】
送信端末のコンテンツをテレビ放送受信部を備える複数の受信端末で共有する通信方法であって、
前記送信端末が、テレビ放送波信号のチャンネルをスキャンして、テレビ放送に用いられていない空きチャンネルを探すステップと、
前記送信端末が、前記検索された空きチャンネルの情報を、送信チャンネル情報として前記複数の受信端末に通知するステップと、
前記送信端末が、コンテンツデータを用いて変調したテレビ放送無線信号を、前記空きチャンネル検索手段によって検索された空きチャンネルで送信するステップと
を含み、
前記複数の受信端末が、前記送信端末からの送信チャンネル情報を受信するステップと、
前記複数の受信端末が、前記送信端末からの送信チャンネル情報を受信すると、前記テレビ放送受信部を起動し、前記送信チャンネル情報で通知された送信チャンネルを受信チャンネルに設定するステップと、
前記複数の受信端末が、前記設定された受信チャンネルで前記テレビ放送受信部により受信した前記送信端末からのテレビ放送無線信号に含まれるコンテンツを提示するステップと
を含むことを特徴とする通信方法。
【発明の詳細な説明】
【技術分野】
【０００１】
本発明は、携帯端末、通信システム、および通信方法に関する。
【背景技術】
【０００２】
携帯端末には携帯電話機や携帯端末装置（ＰＤＡ）等があるが、携帯電話機に例を取ると、携帯電話機から他の携帯電話機に、画像や、文書データなどを送信するためには、ＡＤＳＬ、ＣＡＴＶ、光回線によるブロードバンドで有線のインターネット・アクセスやワイヤレスアクセスを用いたり、ＩＲ（赤外線）、Ｂｌｕｅｔｏｏｔｈ（登録商標）等の近距離通信を用いていた。また、携帯電話機で表示しているメールなどの小さな文字を拡大して表示するために、携帯電話機に表示するコンテンツをテレビ表示用コンテンツに変換して、ＩｒＤＡ、Ｂｌｕｅｔｏｏｔｈ（登録商標）、無線ＬＡＮ等の近距離無線接続の通信制御方式や、ＵＳＢ（登録商標）、ＩＥＥＥ１３９４等の有線接続の通信制御方式を用いて大画面表示装置、例えばＴＶ（テレビ受像機）に送信し、ＴＶで表示する技術が提案されている。
【先行技術文献】
【特許文献】
【０００３】
【特許文献１】特開２００３−２４４２８９号公報
【発明の概要】
【発明が解決しようとする課題】
【０００４】
上述した従来技術による近距離通信では、１対１での通信は可能であるが、複数人でリアルタイムにコンテンツを共有することができないという問題があった。また、ＴＶ放送波を使った場合、不特定多数に閲覧される可能性があり、情報の漏洩につながるという問題がある。また、特定のフォーマットで送信した場合には、閲覧できないことがある。
【０００５】
本発明は、このような事情を考慮してなされたものであり、その目的は、コンテンツを容易に送受信でき、また、秘密漏洩を防止またはその虞を軽減でき、また、複数の携帯端末でコンテンツを容易に共有することができる携帯端末、通信システム、および通信方法を提供することにある。
【課題を解決するための手段】
【０００６】
上述した課題を解決するために、本発明は、携帯電話機のコンテンツを用いて変調した微弱電波のテレビ放送無線信号をテレビ放送の空きチャンネルで送信する放送波送受信部を備えることを特徴とする携帯端末である。
【０００７】
本発明は、上記の発明において、テレビ放送波信号のチャンネルをスキャンして、テレビ放送に用いられていない空きチャンネルを探す空きチャンネル検索手段と、  前記空きチャンネル検索手段によって検索された空きチャンネルの情報を、送信チャンネル情報として他の携帯端末に通知する送信チャンネル情報通知手段と、コンテンツデータを用いて変調したテレビ放送無線信号を、前記空きチャンネル検索手段によって検索された空きチャンネルで送信するテレビ放送無線信号送信手段とを備えることを特徴とする携帯端末である。
【０００８】
本発明は、上記の発明において、前記空きチャンネル検索手段に代えて、現在の位置を示す位置情報を取得する位置情報手段と、位置情報に応じた、地域毎のテレビ放送波の放送局情報を記憶する放送局情報記憶手段と、前記位置情報手段によって取得した位置情報と前記放送局情報記憶手段に記憶されている放送局情報とに基づいて、テレビ放送に用いられていない空きチャンネルを特定する空きチャンネル特定手段とを更に備え、前記送信チャンネル情報通知手段は、前記空きチャンネル特定手段によって特定された空きチャンネルの情報を、送信チャンネル情報として他の携帯端末に通知する、ことを特徴とする。
【０００９】
本発明は、上記の発明において、前記テレビ放送無線信号送信手段によるコンテンツデータを用いて変調したテレビ放送無線信号の送信過程における所定のタイミングで、コンテンツを送信する空きチャンネルを変更する空きチャンネル変更手段を更に備え、前記送信チャンネル情報通知手段は、前記空きチャンネル変更手段によって空きチャンネルが変更される度に、前記送信チャンネル情報を他の携帯端末に通知する、ことを特徴とする。
【００１０】
本発明は、上記の発明において、前記テレビ放送無線信号送信手段によって送信される、コンテンツデータを用いて変調したテレビ放送無線信号を暗号化する暗号化手段を更に備え、前記送信チャンネル情報通知手段は、前記送信チャンネル情報とともに、前記暗号化手段で暗号化に用いた暗号鍵を他の携帯端末に通知する、ことを特徴とする。
【００１１】
本発明は、上記の発明において、近距離通信により他の携帯端末と通信する近距離通信手段と、予めコンテンツを共有する他の携帯端末を記憶する携帯端末記憶手段とを更に備え、前記送信チャンネル情報通知手段は、前記近距離通信手段で、前記携帯端末記憶手段に記憶されている他の携帯端末を検知したときに、前記近距離通信手段によって前記送信チャンネル情報を他の携帯端末に通知する、ことを特徴とする。
【００１２】
また、上述した課題を解決するために、本発明は、テレビ放送波信号を受信するテレビ放送受信手段と、他の携帯端末と通信する通信手段と、前記通信手段によってテレビ放送に用いられていない空きチャンネルを示す送信チャンネル情報が受信されると、前記テレビ放送受信手段を起動し、前記送信チャンネル情報で通知された送信チャンネルを受信チャンネルに設定する設定手段と、前記設定手段により設定された受信チャンネルで前記テレビ放送受信手段により受信した前記他の携帯端末からのテレビ放送無線信号に含まれるコンテンツを提示する提示手段とを備えることを特徴とする携帯端末である。
【００１３】
本発明は、上記の発明において、前記通信手段によって送信チャンネル情報が受信されると、前記設定手段により設定された受信チャンネルで前記テレビ放送受信手段を起動するためのショートカットアイコンを待ち受け画面に作成するアイコン作成手段を更に備えることを特徴とする。
【００１４】
本発明は、上記の発明において、ユーザの生体認証を行う生体認証手段を更に備え、前記送信チャンネル情報は、前記空きチャンネルに加えて、コンテンツを共有可能な視聴ユーザ情報を含み、前記提示手段は、前記生体認証手段により生体認証したユーザが前記視聴ユーザ情報と一致した場合に、前記設定手段により設定された受信チャンネルで前記テレビ放送受信手段により受信されるコンテンツを提示する、ことを特徴とする。
【００１５】
本発明は、上記の発明において、前記コンテンツを用いて変調されたテレビ放送無線信号は、所定の暗号鍵で暗号化されており、前記送信チャンネル情報は、前記空きチャンネルに加えて、前記暗号鍵を含み、前記設定手段により設定された受信チャンネルで前記テレビ放送受信手段により受信された暗号化されたコンテンツを復号化する復号化手段を更に備え、前記提示手段は、前記設定手段により設定された受信チャンネルで前記テレビ放送受信手段により受信され、前記復号化手段により復号化されたテレビ放送無線信号に含まれるコンテンツを提示する、ことを特徴とする。
【００１６】
また、上述した課題を解決するために、本発明は、送信端末のコンテンツを複数の受信端末で共有する通信システムであって、前記送信端末は、テレビ放送波信号のチャンネルをスキャンして、テレビ放送に用いられていない空きチャンネルを探す空きチャンネル検索手段と、前記空きチャンネル検索手段によって検索された空きチャンネルの情報を、送信チャンネル情報として他の携帯端末に通知する送信チャンネル情報通知手段と、コンテンツデータを用いて変調したテレビ放送無線信号を、前記空きチャンネル検索手段によって検索された空きチャンネルで送信するテレビ放送無線信号送信手段とを備え、前記複数の受信端末は、各々、テレビ放送波信号を受信するテレビ放送受信手段と、他の携帯端末と通信する通信手段と、前記通信手段によって前記送信端末からの送信チャンネル情報が受信されると、前記テレビ放送受信手段を起動し、前記送信チャンネル情報で通知された送信チャンネルを受信チャンネルに設定する設定手段と、前記設定手段により設定された受信チャンネルで前記テレビ放送受信手段により受信した前記送信端末からのテレビ放送無線信号に含まれるコンテンツを提示する提示手段とを備えることを特徴とする通信システムである。
【００１７】
また、上述した課題を解決するために、本発明は、送信端末のコンテンツをテレビ放送受信部を備える複数の受信端末で共有する通信方法であって、前記送信端末が、テレビ放送波信号のチャンネルをスキャンして、テレビ放送に用いられていない空きチャンネルを探すステップと、前記送信端末が、前記検索された空きチャンネルの情報を、送信チャンネル情報として前記複数の受信端末に通知するステップと、前記送信端末が、コンテンツデータを用いて変調したテレビ放送無線信号を、前記空きチャンネル検索手段によって検索された空きチャンネルで送信するステップとを含み、前記複数の受信端末が、前記送信端末からの送信チャンネル情報を受信するステップと、前記複数の受信端末が、前記送信端末からの送信チャンネル情報を受信すると、前記テレビ放送受信部を起動し、前記送信チャンネル情報で通知された送信チャンネルを受信チャンネルに設定するステップと、前記複数の受信端末が、前記設定された受信チャンネルで前記テレビ放送受信部により受信した前記送信端末からのテレビ放送無線信号に含まれるコンテンツを提示するステップとを含むことを特徴とする通信方法である。
【発明の効果】
【００１８】
この発明によれば、放送波を利用するため、受信側に特別な機能を追加しなくてもコンテンツを容易に送受信することができる。また、複数の携帯端末でコンテンツを共有することもできる。また、送信チャネルを切り替えるので秘密漏洩を防止またはその虞を軽減できる。
【図面の簡単な説明】
【００１９】
【図１】本発明の第１実施形態による携帯電話機の外観構成を示すブロック図である。
【図２】本第１実施形態によるコンテンツ送信側の携帯電話機の構成を示すブロック図である。
【図３】本第１実施形態による携帯電話機を用いてコンテンツを共有する状況を示す模式図である。
【図４】本第１実施形態による送信端末が空きチャンネル情報を通知するためのメールの一例を示す概念図である。
【図５】本第１実施形態による、メールを受信した受信端末での画面例を示す模式図である。
【図６】本第１実施形態による携帯電話機の動作を説明するためのシーケンス図である。
【図７】本第２実施形態による送信端末の構成を示すブロック図である。
【図８】本第２実施形態による携帯電話機の動作を説明するためのシーケンス図である。
【図９】本第３実施形態による携帯電話機の動作を説明するためのシーケンス図である。
【発明を実施するための形態】
【００２０】
以下、本発明の一実施形態を、図面を参照して説明する。
【００２１】
Ａ．第１実施形態
図１は、本発明の第１実施形態による携帯電話機の外観構成を示すブロック図である。図において、携帯電話機１は、液晶パネル、または、有機ＥＬ（Ｅｌｅｃｔｒｏ−Ｌｕｍｉｎｅｓｃｅｎｃｅ）パネルを備え、各種設定画面や、テレビ放送、メールなどを表示するメイン表示部１１、各種設定画面等で選択項目へカーソルを移動させるカーソルキー１２、選択項目を決定する決定キー１３、テンキー、＊、＃などからなる各種キー１４、通話、テレビ放送音声を出力するスピーカ１５、音声通話時に収音に用いられるマイク１６、液晶パネル、または、有機ＥＬ（Ｅｌｅｃｔｒｏ−Ｌｕｍｉｎｅｓｃｅｎｃｅ）パネルを備え、携帯電話機１を閉じたときに日時や、メール着信等などを表示するサブ表示部１７、被写体を撮影して、画像データを生成するカメラ１８、カメラでの撮影時の光源として機能するＬＥＤライト１９、テレビジョン放送の受信のためのテレビ受信用アンテナ２０を備えている。
【００２２】
図２は、本第１実施形態によるコンテンツ送信側の携帯電話機１００の構成を示すブロック図である。携帯網通信部１０１は、携帯網を介して音声通話、メールなどのデータ通信を行う。携帯網通信制御部１０２は、制御部１２１の制御の下、携帯網通信部１０１を制御する。放送波送受信部１０３は、テレビ放送波を送受信するもので、特に、本第１実施形態では、放送に使われていない空きチャンネルを検索するとともに、コンテンツをテレビ放送波で他の携帯電話機に送信する。
放送波送受信部１０３は、チューナ１０３１とＯＦＤＭ（Ｏｒｇｈｏｇｏｎａｌ  Ｆｒｅｑｕｅｎｃｙ  Ｄｉｖｉｓｉｏｎ  Ｍｕｌｔｉｐｌｅｘｉｎｇ、直交波周波数分割多重）復調回路１０３２とデコーダ１０３３とエンコード１０３４とＯＦＤＭ変調回路１０３５と放送波送信回路１０３６とを含んで構成される。チューナ１０３１は、アンテナにて受信した放送信号の周波数を選択することによりワンセグ放送の選局を行う。チューナ１０３１は、操作入力部１１５からの操作入力、または、制御部１２１の空きチャンネル検索手段からの指示に従って上記の選局を行う。
ＯＦＤＭ復調回路１０３２は、ワンセグ放送の放送信号を復調し、ＭＰＥＧ−２（Ｍｏｖｉｎｇ  Ｐｉｃｔｕｒｅ  Ｅｘｐｅｒｔ  Ｇｒｏｕｐ−２）システムで規定されたＴＳ（Ｔｒａｎｓｐｏｒｔ  Ｓｔｒｅａｍ）として出力する。デコーダ１０３３は、ＴＳを復号することにより、映像データ、音声データおよび文字データを出力する。エンコーダ１０３４は、映像データ、音声データおよび文字データを符号化することにより、ＴＳを出力する。ＯＦＤＭ変調回路１０３５は、ＴＳをワンセグ放送で用いられている変調方式であるＯＦＤＭ方式による変調を行う。放送波送信回路１０３６は、ＯＦＤＭ変調回路１０３５が変調した信号を入力し、放送波周波数に変換しアンテナを介して送信する。放送波総受信回路１０３は、地上デジタル放送で用いられている周波数（ＵＨＦ（Ｕｌｔｒａ  Ｈｉｇｈ  Ｆｒｅｑｕｅｎｃｙ）またはＶＨＦ（Ｖｅｒｙ  Ｈｉｇｈ  Ｆｒｅｑｕｅｎｃｙ））で、送信チャンネル情報通知手段により通知したチャンネルを用いて信号の送信を行う。
ＲＯＭ１０４は、制御部１２１で実行されるプログラムや、各種データなどを記憶する。ＲＡＭ１０５は、書き換え可能な各種データを記憶する。
【００２３】
Ｂｌｕｅｔｏｏｔｈ（登録商標）通信部１０６は、近距離通信の１つであるＢｌｕｅｔｏｏｔｈ（登録商標）規格に従って近接する他の携帯電話機との間でデータを送受信する。特に、本第１実施形態では、コンテンツをテレビ放送波で他の携帯電話機に送信する際のチャンネルを示す空きチャンネル情報を通知する際の１つの通信手段として用いられる。ＩＲ（赤外線）通信部１０７は、やはり近距離通信の１つであり、赤外線を用いて、他の携帯電話機との間でデータを送受信する。特に、本第１実施形態では、Ｂｌｕｅｔｏｏｔｈ（登録商標）通信部１０６と同様に、コンテンツをテレビ放送波で他の携帯電話機に送信する際のチャンネルを示す空きチャンネル情報を通知する際の１つの通信手段として用いられる。
【００２４】
振動部１０８は、振動によりメールや、音声着信を通知する。表示処理部１０９は、制御部１２１の制御の下、メイン表示部１１０、サブ表示部１１１の表示を制御する。音声処理部１１２は、音声通話などにおいて、受信した音声データをスピーカ１１３から出力するとともに、マイク１１４から入力される音声を音声データに変換して取り込む。操作入力部１１５は、図１に示すカーソルキー１２、決定キー１３、テンキー、＊、＃などからなる各種キー１４である。入力処理部１１６は、操作入力部１１５からの入力を処理する。操作部照明１１７は、上記操作入力部１１５の各キー下部に配置され、操作時に点灯する。カメラ１１８は、図１に示すカメラ１８に相当する。ＬＥＤライト１１９は、図１に示すＬＥＤライト１９に相当する。撮像処理部１２０は、カメラ１１８による撮像動作、撮像画像の取り込み、ＬＥＤライト１１９の点灯、消灯などを制御する。
【００２５】
制御部１２１は、上述した各部を制御する。特に、本第１実施形態では、コンテンツをテレビ放送波にて送信する際の動作として、テレビ放送波の空きチャンネルの検索を行う空きチャンネル検索手段と、検索した空きチャンネルを送信チャンネル情報として通知する送信チャンネル情報通知手段、コンテンツのテレビ放送波信号によるブロードキャスト送信を行うテレビ放送無線信号送信手段とを備える。なお、制御部１２１は、音声通話手段や撮像手段など、コンテンツをテレビ放送波にて送信する以外の動作のためにも図に示さない手段も備える。
【００２６】
コンテンツ受信側の携帯電話機としても、図２で説明した携帯電話機１００と同様のものを用いることができる。ただし、図２で説明した携帯電話機１００は制御部１３０がＴＶアプリケーションを実行しないものであってもよいが、コンテンツ受信側の携帯電話機の制御部はＴＶアプリケーションを実行可能である。また、図２の放送波送受信部１０３に代えてテレビチューナを具備してもよい。すなわち、テレビ放送波を送信しない携帯電話機であってもよい。
また、送信端末１００がテレビ受像機に対して無線送信波を送信するようにしてもよい。テレビ受像機のチャンネルを送信端末１００が送信を行うチャンネルに合わせられている場合、テレビ受像機のＴＶチューナがこの無線送信波を拾って復調等の処理を行う。テレビ受像機は復調されたコンテンツの画像を表示し、音声を発する。
また、テレビ受像機の電源が切断されているときに、送信端末１００からの信号によって電源を接続できるようにしてもよい。例えば、送信端末のＩＲ通信部から、テレビ受像機の電源を接続するリモートコントロール（remote control、リモコン）信号を送信する。同様に、送信端末１００からの信号によってテレビ受像機の受信チャンネルを設定するようにしてもよい。
【００２７】
図３は、第１実施形態による携帯電話機を用いてコンテンツを共有する状況を示す模式図である。携帯電話機は全部で４台示されており、それぞれに送信端末１００、受信端末Ａ〜Ｃの名称が付されている。コンテンツ送信側の送信端末１００は、携帯網を介したメールを用いて、または無線ＬＡＮ通信、Ｂｌｕｅｔｏｏｔｈ（登録商標）通信などの近距離通信を用いて、コンテンツを放送する送信チャンネル情報を、受信端末２００−１、２００−２、２００−３に通知し、その後、テレビ放送信号を用いてコンテンツを放送する。コンテンツとしては、映像、音声、データ（テキスト）、あるいは、映像＋音声、映像＋音声＋データなどがある。また、コンテンツデータは、予めＲＡＭ１０５に記憶されていても良いし、現在画面に表示されている内容のキャプチャーデータでもよい。
【００２８】
受信端末２００−１、２００−２、２００−３は、携帯網を介したメール、または無線ＬＡＮ通信、Ｂｌｕｅｔｏｏｔｈ（登録商標）通信などの近距離通信によって、コンテンツが放送されるチャンネルを示す送信チャンネル情報を受信すると、ＴＶアプリケーションを立ち上げ、受信した送信チャンネル（空きチャンネル）を受信チャンネルに設定し、送信端末１００がテレビ放送信号を用いてブロードキャスト送信するコンテンツを受信する。
【００２９】
図４は、本第１実施形態による送信端末が送信チャンネル情報を通知するためのメールの一例を示す概念図である。送信チャンネル情報を通知するメールには、受信端末のＴＶアプリケーションを立ち上げるための指示を行うコマンドである「ｏｐｅｎ  ＴＶ」、送信側ユーザを示す「Ｔａｒｏｈ」、受信者を示す「ｔｏ  ａｌｌ  ｕｓｅｒ」、送信チャンネルを示す「ｃｈ２３」が示されていればよく、その記述形式などに限定されない。また、送信チャンネル情報を通知するメールであるか否かは、メール内容、またはメールのタイトルで判別することが可能である。
【００３０】
図５は、本第１実施形態による、メールを受信した受信端末での画面例を示す模式図である。受信端末は、送信端末から受信した情報が、送信チャンネル情報であった場合、図５（ａ）に示すように、待ち受け画面にショートカットアイコン３００を作成する。受信端末のユーザがショートカットアイコン３００を選択して決定キー１３を押下すると、図５（ｂ）に示すように、誰からの接続要求であるか、接続するか否かの選択肢からなる選択画面３０１を表示する。受信端末のユーザが「はい」を選択して決定キー１３を押下すると、ＴＶアプリケーションを起動し、送信チャンネルでのテレビ放送受信動作へ移行する。「いいえ」を選択した場合には、待ち受け画面に戻る。
【００３１】
次に、本第１実施形態の動作を説明する。
図６は、本第１実施形態による携帯電話機の動作を説明するためのシーケンス図である。まず、コンテンツを共有したい送信端末１００は、放送波の空きチャンネルをスキャンし、スキャンしたチャンネルを送信チャンネル情報としてメールまたは近距離通信で受信端末２００−１〜２００−３に通知する（ステップＳａ１）。そして、所定時間経過後、コンテンツを用いて変調したテレビ放送波信号を、放送波送受信部によって空きチャンネルでブロードキャスト送信する。すなわち、コンテンツをＴＶ放送用のコンテンツに変換して空きチャンネルでブロードキャスト送信する（ステップＳａ２）。
【００３２】
送信チャンネルの連絡を受けた受信端末２００−１〜２００−３では、受信した情報が送信チャンネル情報であると、図５（ａ）に示すように、待ち受け画面にショートカットアイコンを作成し、図５（ｂ）の選択画面で「はい」を選択すると、ＴＶアプリケーションを立ち上げ（ステップＳａ３）、指定された送信チャンネルを受信チャンネルに設定する（ステップＳａ４）。そして、送信端末からブロードキャスト送信される放送波信号をＴＶチューナで受信し、コンテンツを視聴する。
【００３３】
このように、送信端末１００はテレビ放送空きチャンネルを使用してコンテンツを送信するので、受信端末は特別な機能を追加しなくてもコンテンツを視聴することができる。また、複数の受信端末で同時にコンテンツを共有することもできる。
【００３４】
Ｂ．第２実施形態
次に、本発明の第２実施形態について説明する。
図７は、本第２実施形態による送信端末の構成を示すブロック図である。なお、図２に対応する部分には同一の符号を付けて説明を省略する。第２実施形態では、送信端末１００側にＧＰＳ制御部を設ける。位置情報検出部１２２は、携帯網の基地局情報、あるいは、ＧＰＳ（Global Positioning System）等で位置情報を検出する。また、ＲＡＭ１０５には、位置情報に応じて、地域毎の放送局情報（使用チャンネル、空きチャンネル）を記憶している。制御部１２１は、位置情報手段が位置情報取得部１２２を制御取得する位置情報を取得と、ＲＡＭ１０５（放送局情報記憶手段）に記憶されている放送局情報とから、放送に使用されていない空きチャンネルを、コンテンツの送信チャンネルとして空きチャンネル特定手段が決定する。送信チャンネル情報通知手段は図２で説明したように送信チャンネル情報を通知する。また、図２で説明したように、制御部１２１は音声通話手段や撮像手段など、コンテンツをテレビ放送波にて送信する以外の動作のためにも図に示さない手段も備える。
【００３５】
次に、第２実施形態の動作を説明する。
図８は、本第２実施形態による携帯電話機の動作を説明するためのシーケンス図である。まず、コンテンツを共有したい送信端末１００は、位置情報取得部１２２で位置情報を検出し（ステップＳｂ１）、該位置情報と、ＲＡＭ１０５に記憶されている放送局情報とから、放送に使用されていない空きチャンネルを、送信チャンネルとして決定し、送信チャンネル情報をメールまたは近距離通信で受信端末２００−１〜２００−３に通知する（ステップＳｂ２）。そして、所定時間経過後、コンテンツを用いて変調したテレビ放送波信号を、放送波送受信部１０３によって空きチャンネルでブロードキャスト送信する（ステップＳｂ３）。
【００３６】
送信チャンネルの連絡を受けた受信端末２００−１〜２００−３では、受信した情報が送信チャンネル情報であると、図５（ａ）に示すように、待ち受け画面にショートカットアイコンを作成し、図５（ｂ）の選択画面で「はい」を選択すると、ＴＶアプリケーションを立ち上げ（ステップＳｂ４）、指定された送信チャンネルを受信チャンネルに設定する（ステップＳｂ５）。そして、送信端末１００からブロードキャスト送信される放送波信号をＴＶチューナ２０３で受信し、コンテンツを視聴する。
【００３７】
このように、送信端末１００は位置情報に応じて空きチャンネルを決定するので、空きチャンネルを検索する必要が無く、検索時間を削減できる。
【００３８】
Ｃ．第３実施形態
次に、本発明の第３実施形態について説明する。
本発明では、コンテンツをテレビ放送波信号でブロードキャスト送信することで他の携帯電話機との間でコンテンツを共有する。テレビ放送波信号は、通常使われていない空きチャンネルを用いるので、不特定多数に視聴される可能性は低いが、視聴されないとは限らない。そこで、本第３実施形態では、コンテンツを送信するチャンネルを、所定の時間、ページ送りなどのタイミングで変更することで情報漏洩の防止を図ることを特徴とする。なお、携帯電話機の構成は、図２を用いて実施形態１で説明したのと同様であるので説明を省略する。
【００３９】
図９は、本第３実施形態による携帯電話機の動作を説明するためのシーケンス図である。まず、コンテンツを共有したい送信端末１００は、放送波の空きチャンネルをスキャンし、送信チャンネル情報をメールまたは近距離通信で受信端末２００−１〜２００−３に通知する（ステップＳｃ１）。そして、所定時間経過後、コンテンツを用いて変調したテレビ放送波信号を、放送波送受信部１０３によって空きチャンネルでブロードキャスト送信する（ステップＳｃ２）。
【００４０】
送信チャンネルの連絡を受けた受信端末２００−１〜２００−３では、受信した情報が送信チャンネル情報であると、図５（ａ）に示すように、待ち受け画面にショートカットアイコンを作成し、図５（ｂ）の選択画面で「はい」を選択すると、ＴＶアプリケーションを立ち上げ（ステップＳｂ３）、指定された送信チャンネルを受信チャンネルに設定する（ステップＳｂ４）。そして、送信端末１００からブロードキャスト送信される放送波信号をＴＶチューナ２０３で受信し、コンテンツを視聴する。
【００４１】
送信端末１００は、コンテンツのブロードキャスト送信後、所定時間経過したか判定し（ステップＳｃ５）、所定時間経過する度に、再度、放送波の他の空きチャンネルをスキャンし、送信チャンネル情報をメールまたは近距離通信で受信端末２００−１〜２００−３に通知する（ステップＳｃ６）。そして、所定時間経過後、コンテンツを用いて変調したテレビ放送波信号を、放送波送受信部１０３によって変更した空きチャンネルでブロードキャスト送信する（ステップＳｃ７）。
【００４２】
送信チャンネルの連絡を受けた受信端末２００−１〜２００−３では、受信した情報が送信チャンネル情報であると、指定された送信チャンネルを受信チャンネルに設定する（ステップＳｃ８）。そして、送信端末１００からブロードキャスト送信される放送波信号をＴＶチューナ２０３で受信し、コンテンツを視聴する。
【００４３】
このように送信端末１００は所定時間経過する度にチャンネルを変更してコンテンツを送信するので、空きチャンネル情報を受信しない第三者への秘密漏洩を防止またはその虞を軽減できる。
【００４４】
なお、上述した第１から第３実施形態において、さらに、受信端末２００に生体認証を行う手段を備え、送信端末１００は、送信チャンネル情報と視聴ユーザ情報とを併せて送信し、それを受信した受信端末２００では、生体認証したユーザが視聴ユーザ情報と一致すれば、コンテンツの視聴を許可するようにしてもよい。なお、生体認証による個人識別については周知の技術であるので説明を省略する。
【００４５】
また、上述した第１から第３実施形態において、さらに、送信端末１００から送信するテレビ放送波信号を暗号化し、暗号鍵を、送信チャンネル情報とともに受信端末２００に送信し、受信端末２００では、受信した暗号鍵でテレビ放送波信号を復元してコンテンツを視聴するようしてもよい。なお、情報の暗号化、復号化については周知の技術であるので説明を省略する。
【００４６】
また、上述した第１から第３実施形態では、送信チャンネル情報が通知された場合、待ち受け画面にショートカットアイコンを表示し、ＴＶアプリケーションを起動するか否かの選択画面を表示するようにしたが、これに限らず、送信チャンネル情報が通知されると、自動的にＴＶアプリケーションを立ち上げるようにしてもよい。
【００４７】
また、送信端末１００に予めコンテンツを共有してもよい受信端末２００を登録しておき、近距離通信（Ｂｌｕｅｔｏｏｔｈ（登録商標）等）で、登録されている受信端末２００を検知したとき、該当受信端末２００に通信に使用した近距離通信で送信チャンネル情報を送信し、コンテンツを空きチャンネルでブロードキャスト送信するようにしてもよい。
【００４８】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００４９】
１００  送信端末
２００  受信端末
１０１、２０１  携帯網通信部
１０２、２０２  携帯網通信制御部
１０３  放送波送受信部
１０４、２０４  ＲＯＭ
１０５、２０５  ＲＡＭ
１０６、２０６  Ｂｌｕｅｔｏｏｔｈ（登録商標）通信部
１０７、２０７  ＩＲ（赤外線）通信部
１０８、２０８  振動部
１０９、２０９  表示処理部
１１０、２１０  メイン表示部
１１１、２１１  サブ表示部
１１２、２１２  音声処理部
１１３、２１３  スピーカ
１１４、２１４  マイク
１１５、２１５  操作入力部
１１６、２１６  入力処理部
１１７、２１７  操作部照明
１１８、２１８  カメラ
１１９、２１９  ＬＥＤライト
１２０、２２０、  撮像処理部
１２１、２２１  制御部
１２２  位置情報検出部
２０３  ＴＶチューナ
【図１】
2011010001.tif 000003
【図２】
2011010001.tif 000004
【図３】
2011010001.tif 000005
【図４】
2011010001.tif 000006
【図５】
2011010001.tif 000007
【図６】
2011010001.tif 000008
【図７】
2011010001.tif 000009
【図８】
2011010001.tif 000010
【図９】
2011010001.tif 000011